(57)【特許請求の範囲】
【請求項１】
第１及び第２のファン（95,96）により中空のケーシング（10）内で第１及び第２の被処理空気を流通させると共に、上記ケーシング（10）内での被処理空気の流通経路を切り換えることにより、第１の吸着素子（81）と第２の吸着素子（82）とを交互に用いて室内へ供給される被処理空気の除湿又は加湿を行う調湿装置であって、
上記ケーシング（10）は、扁平な直方体状に形成されて第１及び第２の吸込口（13,15）と第１及び第２の吹出口（14,16）とを備えており、
上記ケーシング（10）の側壁部の１つである吸込側側壁部（12）には、室外に接続される第１の吸込口（13）と室内に接続される第２の吸込口（15）とが該吸込側側壁部（12）の長手方向に並んで開口し、
上記ケーシング（10）内には、上記第１及び第２の吸込口（13,15）に連通する１つのフィルタ用空間（44）が上記吸込側側壁部（12）に沿って形成され、
上記フィルタ用空間（44）には、上記吸込口（13,15）から流入した被処理空気を濾過するためのエアフィルタ（71,76,77）が配置される一方、
上記ケーシング（10）の側壁部のうち上記吸込側側壁部（12）と対向する側壁部（11）では、室内に接続される第１の吹出口（14）と室外に接続される第２の吹出口（16）とが該側壁部（11）の長手方向に並んで開口すると共に、上記第２の吸込口（15）寄りに第１の吹出口（14）が、上記第１の吸込口（13）寄りに第２の吹出口（16）がそれぞれ配置されており、
上記第１の吸込口（13）から取り込まれた室外空気が一方の吸着素子（81,82）を通過後に第１の吹出口（14）から室内へ供給されると同時に、上記第２の吸込口（15）から取り込まれた室内空気が他方の吸着素子（81,82）を通過後に第２の吹出口（16）から室外へ排出される動作が可能に構成されている調湿装置。
【請求項２】
第１及び第２のファン（95,96）により中空のケーシング（10）内で第１及び第２の被処理空気を流通させると共に、上記ケーシング（10）内での被処理空気の流通経路を切り換えることにより、第１の吸着素子（81）と第２の吸着素子（82）とを交互に用いて室内へ供給される被処理空気の除湿又は加湿を行う調湿装置であって、
上記ケーシング（10）は、扁平な直方体状に形成されて第１及び第２の吸込口（13,15）と第１及び第２の吹出口（14,16）とを備えており、
上記ケーシング（10）の側壁部の１つである吸込側側壁部（12）には、室外に接続される第１の吸込口（13）と室内に接続される第２の吸込口（15）とが該吸込側側壁部（12）の長手方向に並んで開口し、
上記ケーシング（10）内では、上記吸込口（13,15）から流入した被処理空気を濾過するためのエアフィルタ（71,76,77）が上記吸込側側壁部（12）に沿って配置される一方、
上記ケーシング（10）の側壁部のうち上記吸込側側壁部（12）と対向する側壁部（11）では、室内に接続される第１の吹出口（14）と室外に接続される第２の吹出口（16）とが該側壁部（11）の長手方向に並んで開口すると共に、上記第２の吸込口（15）寄りに第１の吹出口（14）が、上記第１の吸込口（13）寄りに第２の吹出口（16）がそれぞれ配置されており、
上記第１の吸込口（13）から取り込まれた室外空気が一方の吸着素子（81,82）を通過後に第１の吹出口（14）から室内へ供給されると同時に、上記第２の吸込口（15）から取り込まれた室内空気が他方の吸着素子（81,82）を通過後に第２の吹出口（16）から室外へ排出される動作が可能に構成されている調湿装置。
【請求項３】
請求項１に記載の調湿装置において、
エアフィルタ（71）は、フィルタ用空間（44）に１つ設けられて第１及び第２の吸込口（13,15）から流入した被処理空気を濾過するように構成されると共に、上記フィルタ用空間（44）を第１の吸込口（13）に連通する第１部分（45）と第２の吸込口（15）に連通する第２部分（47）とに仕切るための仕切部材（72）を備えている調湿装置。
【請求項４】
請求項２に記載の調湿装置において、
エアフィルタ（71）では、第１の吸込口（13）から流入した被処理空気を濾過する第１フィルタ部（73）と、第２の吸込口（15）から流入した被処理空気を濾過する第２フィルタ部（74）と、第１フィルタ部（73）を通過する空気と第２フィルタ部（74）を通過する空気の混合を防ぐ仕切部材（72）とが一体に形成されている調湿装置。
【請求項５】
請求項３又は４に記載の調湿装置において、
ケーシング（10）において、吸込側側壁部（12）に隣接する側壁部の少なくとも１つには、エアフィルタ（71）を取り出し可能とするためのフィルタ点検用蓋（131）が設けられている調湿装置。
【請求項６】
請求項５に記載の調湿装置において、
エアフィルタ（71）がフィルタ点検用蓋（131）の内側面に取り付けられている調湿装置。
【請求項７】
請求項３又は４に記載の調湿装置において、
エアフィルタ（71）は、吸込側側壁部（12）と平行な方向へスライドすることによりケーシング（10）に対して着脱自在となっている調湿装置。
【請求項８】
請求項１に記載の調湿装置において、
フィルタ用空間（44）は、第１の吸込口（13）に連通する第１部分（45）と、第２の吸込口（15）に連通する第２部分（47）とに仕切られており、
上記第１部分（45）には第１のエアフィルタ（76）が、上記第２部分（47）には第２のエアフィルタ（77）がそれぞれ設けられている調湿装置。
【請求項９】
請求項２に記載の調湿装置において、
ケーシング（10）内には、第１の吸込口（13）から流入した被処理空気を濾過する第１のエアフィルタ（76）と、第２の吸込口（15）から流入した被処理空気を濾過する第２のエアフィルタ（77）とが設けられている調湿装置。
【請求項１０】
請求項８又は９に記載の調湿装置において、
ケーシング（10）において、吸込側側壁部（12）に隣接して互いに対向する一対の側壁部は、それぞれがエアフィルタ（76,77）を取り出し可能とするためのフィルタ点検用蓋（136,137）を１つずつ備えている調湿装置。
【請求項１１】
請求項８又は９に記載の調湿装置において、
ケーシング（10）において、吸込側側壁部（12）に隣接する側壁部のうち互いに対向する一対の側壁部は、その一方が第１のエアフィルタ（76）を取り出し可能とするための第１のフィルタ点検用蓋（136）を、他方が第２のエアフィルタ（77）を取り出し可能とするための第２のフィルタ点検用蓋（137）をそれぞれ備えている調湿装置。
【請求項１２】
請求項１１に記載の調湿装置において、
第１のエアフィルタ（76）が第１のフィルタ点検用蓋（136）の内側面に、第２のエアフィルタ（77）が第２のフィルタ点検用蓋（137）の内側面にそれぞれ取り付けられている調湿装置。
【請求項１３】
請求項８又は９に記載の調湿装置において、
エアフィルタ（76,77）は、吸込側側壁部（12）と平行な方向へスライドすることによりケーシング（10）に対して着脱自在となっている調湿装置。
【発明の詳細な説明】
【技術分野】
【０００１】
本発明は、空気の湿度調節を行う調湿装置に関し、特にそのエアフィルタの配置に関する技術分野に属する。
【背景技術】
【０００２】
従来より、吸着材を用いて空気の湿度調節を行う調湿装置が知られている。例えば、特許文献１に開示されている調湿装置では、第１及び第２のファンにより中空のケーシング内で第１及び第２の被処理空気が流通される。ケーシング内では、被処理空気の流通経路が切り換えられ、各吸着素子において水分の吸着と脱離が交互に行われる。そして、上記調湿装置は、第１の吸着素子と第２の吸着素子とを交互に用い、室内へ供給される被処理空気の除湿又は加湿を行うように構成されている。
【０００３】
上記調湿装置では、一般にケーシング内の機器に異物が侵入しないようにエアフィルタが設けられる。従来、エアフィルタの配置には様々な方法が採用されている。例えば、特許文献２におけるエアフィルタのように、ケーシング内に設けられた熱交換器の側面に現れる吸込口を直接エアフィルタで覆うものが知られている。このことで、異物の侵入の影響の大きい熱交換器に異物が侵入するのを防ぐことができる。しかし、このような方法では、熱交換器に至るまでのケーシング内での被処理空気の流通経路において、異物の侵入の影響が大きい。
【０００４】
上記特許文献１の調湿装置では、例えばケーシングの一対の側壁部のいずれか一方に第１の被処理空気を取り入れる吸込口と第２の被処理空気を吹き出す吹出口とが設けられ、他方に第２の被処理空気を取り入れる吸込口と第１の被処理空気を吹き出す吹出口とが設けられる。このような構造の調湿装置において、被処理空気がケーシング内へ流入する時点で被処理空気から異物を除去するには、例えば特許文献３に示されるように、各吸込口の近傍にそれぞれエアフィルタを設置する必要がある。
【特許文献１】特開２００２−２２２０６号公報
【特許文献２】実開昭６０−１７８７３５号公報
【特許文献３】特開平４−３５０４４３号公報
【発明の開示】
【発明が解決しようとする課題】
【０００５】
通常、エアフィルタについては、その清掃を定期的に行う必要がある。つまり、エアフィルタをケーシングから一旦取り出して清掃後にケーシング内へ戻す作用を、比較的頻繁に行わなければならない。このため、上述のようなケーシング内の離れた箇所にエアフィルタを配置する構造では、エアフィルタのメンテナンス作業が非常に煩雑となる。
【０００６】
本発明は斯かる点に鑑みてなされたものであり、その目的とするところは、エアフィルタのメンテナンスが容易な調湿装置を提供することにある。
【課題を解決するための手段】
【０００７】
第１の発明は、第１及び第２のファン（95,96）により中空のケーシング（10）内で第１及び第２の被処理空気を流通させると共に、上記ケーシング（10）内での被処理空気の流通経路を切り換えることにより、第１の吸着素子（81）と第２の吸着素子（82）とを交互に用いて室内へ供給される被処理空気の除湿又は加湿を行う調湿装置を対象とする。そして、上記ケーシング（10）は、扁平な直方体状に形成されて第１及び第２の吸込口（13,15）と第１及び第２の吹出口（14,16）とを備えており、ケーシング（10）の側壁部の１つである吸込側側壁部（12）には、室外に接続される第１の吸込口（13）と室内に接続される第２の吸込口（15）とが該吸込側側壁部（12）の長手方向に並んで開口し、ケーシング（10）内には、第１及び第２の吸込口（13,15）に連通する１つのフィルタ用空間（44）が上記吸込側側壁部（12）に沿って形成され、フィルタ用空間（44）には、吸込口（13,15）から流入した被処理空気を濾過するためのエアフィルタ（71）が配置されるものである。更に、この発明において、上記ケーシング（10）の側壁部のうち上記吸込側側壁部（12）と対向する側壁部（11）では、室内に接続される第１の吹出口（14）と室外に接続される第２の吹出口（16）とが該側壁部（11）の長手方向に並んで開口すると共に、上記第２の吸込口（15）寄りに第１の吹出口（14）が、上記第１の吸込口（13）寄りに第２の吹出口（16）がそれぞれ配置されており、上記第１の吸込口（13）から取り込まれた室外空気が一方の吸着素子（81,82）を通過後に第１の吹出口（14）から室内へ供給されると同時に、上記第２の吸込口（15）から取り込まれた室内空気が他方の吸着素子（81,82）を通過後に第２の吹出口（16）から室外へ排出される動作が可能に構成される。
【０００８】
第２の発明は、第１及び第２のファン（95,96）により中空のケーシング（10）内で第１及び第２の被処理空気を流通させると共に、上記ケーシング（10）内での被処理空気の流通経路を切り換えることにより、第１の吸着素子（81）と第２の吸着素子（82）とを交互に用いて室内へ供給される被処理空気の除湿又は加湿を行う調湿装置を対象とする。そして、上記ケーシング（10）は、扁平な直方体状に形成されて第１及び第２の吸込口（13,15）と第１及び第２の吹出口（14,16）とを備えており、上記ケーシング（10）の側壁部の１つである吸込側側壁部（12）には、室外に接続される第１の吸込口（13）と室内に接続される第２の吸込口（15）とが該吸込側側壁部（12）の長手方向に並んで開口し、上記ケーシング（10）内では、上記吸込口（13,15）から流入した被処理空気を濾過するためのエアフィルタ（71,76,77）が上記吸込側側壁部（12）に沿って配置されるものである。更に、この発明において、上記ケーシング（10）の側壁部のうち上記吸込側側壁部（12）と対向する側壁部（11）では、室内に接続される第１の吹出口（14）と室外に接続される第２の吹出口（16）とが該側壁部（11）の長手方向に並んで開口すると共に、上記第２の吸込口（15）寄りに第１の吹出口（14）が、上記第１の吸込口（13）寄りに第２の吹出口（16）がそれぞれ配置されており、上記第１の吸込口（13）から取り込まれた室外空気が一方の吸着素子（81,82）を通過後に第１の吹出口（14）から室内へ供給されると同時に、上記第２の吸込口（15）から取り込まれた室内空気が他方の吸着素子（81,82）を通過後に第２の吹出口（16）から室外へ排出される動作が可能に構成される。
【０００９】
第３の発明は、上記第１の発明において、エアフィルタ（71）は、フィルタ用空間（44）に１つ設けられて第１及び第２の吸込口（13,15）から流入した被処理空気を濾過するように構成されると共に、フィルタ用空間（44）を第１の吸込口（13）に連通する第１部分（45）と第２の吸込口（15）に連通する第２部分（47）とに仕切るための仕切部材（72）を備えるものである。
【００１０】
第４の発明は、上記第２の発明において、エアフィルタ（71）では、第１の吸込口（13）から流入した被処理空気を濾過する第１フィルタ部（73）と、第２の吸込口（15）から流入した被処理空気を濾過する第２フィルタ部（74）と、第１フィルタ部（73）を通過する空気と第２フィルタ部（74）を通過する空気の混合を防ぐ仕切部材（72）とが一体に形成されるものである。
【００１１】
第５の発明は、上記第３又は第４の発明において、ケーシング（10）において、吸込側側壁部（12）に隣接する側壁部の少なくとも１つには、エアフィルタ（71）を取り出し可能とするためのフィルタ点検用蓋（131）が設けられるものである。
【００１２】
第６の発明は、上記第５の発明において、エアフィルタ（71）がフィルタ点検用蓋（131）の内側面に取り付けられるものである。
【００１３】
第７の発明は、上記第３又は第４の発明において、エアフィルタ（71）は、吸込側側壁部（12）と平行な方向へスライドすることによりケーシング（10）に対して着脱自在となっているものである。
【００１４】
第８の発明は、上記第１の発明において、フィルタ用空間（44）は、第１の吸込口（13）に連通する第１部分（45）と、第２の吸込口（15）に連通する第２部分（47）とに仕切られており、上記第１部分（45）には第１のエアフィルタ（76）が、上記第２部分（47）には第２のエアフィルタ（77）がそれぞれ設けられるものである。
【００１５】
第９の発明は、上記第２の発明において、ケーシング（10）内には、第１の吸込口（13）から流入した被処理空気を濾過する第１のエアフィルタ（76）と、第２の吸込口（15）から流入した被処理空気を濾過する第２のエアフィルタ（77）とが設けられるものである。
【００１６】
第１０の発明は、上記第８又は第９の発明において、ケーシング（10）において、吸込側側壁部（12）に隣接して互いに対向する一対の側壁部は、それぞれがエアフィルタ（76,77）を取り出し可能とするためのフィルタ点検用蓋（136,137）を１つずつ備えるものである。
【００１７】
第１１の発明は、上記第８又は第９の発明において、ケーシング（10）において、吸込側側壁部（12）に隣接する側壁部のうち互いに対向する一対の側壁部は、その一方が第１のエアフィルタ（76）を取り出し可能とするための第１のフィルタ点検用蓋（136）を、他方が第２のエアフィルタ（77）を取り出し可能とするための第２のフィルタ点検用蓋（137）をそれぞれ備えるものである。
【００１８】
第１２の発明は、上記第１１の発明において、第１のエアフィルタ（76）が第１のフィルタ点検用蓋（136）の内側面に、第２のエアフィルタ（77）が第２のフィルタ点検用蓋（137）の内側面にそれぞれ取り付けられるものである。
【００１９】
第１３の発明は、上記第８又は第９の発明において、エアフィルタ（76,77）は、吸込側側壁部（12）と平行な方向へスライドすることによりケーシング（10）に対して着脱自在となっているものである。
【００２０】
−作用−
上記第１及び第２の発明では、第１及び第２のファン（95,96）の作用により、吸込側側壁部（12）に開口する第１及び第２の吸込口（13,15）を通って被処理空気がケーシング（10）内に取り入れられる。ケーシング（10）内では、エアフィルタ（71,76,77）によって異物を除去された被処理空気が流通する。これら発明の調湿装置は、ケーシング（10）内での被処理空気の流通経路を切り換えることで、第１吸着素子（81）と第２吸着素子（82）とを交互に用いて、室内へ供給される被処理空気の除湿又は加湿を行う。
【００２１】
上記第１の発明において、吸込口（13,15）を通ってケーシング（10）内へ流入した被処理空気は、フィルタ用空間（44）内に設けられたエアフィルタ（71,76,77）によって濾過される。上記第２の発明において、吸込口（13,15）を通ってケーシング（10）内へ流入した被処理空気は、吸込側側壁部（12）に沿って配置されたエアフィルタ（71,76,77）によって濾過される。
【００２２】
上記第３の発明において、フィルタ用空間（44）は、エアフィルタ（71）の仕切部材（72）によって、第１の吸込口（13）に連通する第１部分（45）と第２の吸込口（15）に連通する第２部分（47）とに仕切られる。第１の吸込口（13）から流入した被処理空気は、フィルタ用空間（44）の第１部分（45）に流入し、エアフィルタ（71）によって濾過される。一方、第２の吸込口（15）から流入した被処理空気は、フィルタ用空間（44）の第２部分（47）に流入し、エアフィルタ（71）によって濾過される。
【００２３】
上記第４の発明において、エアフィルタ（71）では、第１フィルタ部（73）と第２フィルタ部（74）と仕切部材（72）とが一体に形成される。第１フィルタ部（73）は、第１の吸込口（13）を通過した被処理空気を濾過する。第２フィルタ部（74）は、第２の吸込口（15）を通過した被処理空気を濾過する。仕切部材（72）は、第１の吸込口（13）に連通する空気通路と第２の吸込口（15）に連通する空気通路との仕切りを構成し、第１の吸込口（13）を通過した被処理空気と第２の吸込口（15）を通過した被処理空気とが混ざり合うのを防止する。
【００２４】
上記第５の発明において、ケーシング（10）では、吸込側側壁部（12）に隣接する側壁部にフィルタ点検用蓋（131）が設けられる。このフィルタ点検用蓋（131）を開くことで、エアフィルタ（71）がケーシング（10）から取り出される。
【００２５】
上記第６の発明では、エアフィルタ（71）がフィルタ点検用蓋（131）の内面に取り付けられる。このフィルタ点検用蓋（131）をケーシング（10）から取り外す場合には、その際のフィルタ点検用蓋（131）の移動に伴ってエアフィルタ（71）も移動し、エアフィルタ（71）がフィルタ点検用蓋（131）と共にケーシング（10）から取り出される。
【００２６】
上記第７の発明において、エアフィルタ（71）は、吸込側側壁部（12）に沿ってスライドすることによって、ケーシング（10）から取り外され、あるいはケーシング（10）に装着される。
【００２７】
上記第８の発明において、第１の吸込口（13）を通過した被処理空気は、フィルタ用空間（44）の第１部分（45）に流入し、第１のエアフィルタ（76）によって濾過される。また、第２の吸込口（15）を通過した被処理空気は、フィルタ用空間（44）の第２部分（47）に流入し、第２のエアフィルタ（77）によって濾過される。
【００２８】
上記第９の発明において、ケーシング（10）内では、第１のエアフィルタ（76）と第２のエアフィルタ（77）とが吸込側側壁部（12）に沿って設置される。第１のエアフィルタ（76）は、第１の吸込口（13）を通過した被処理空気を濾過する。第２のエアフィルタ（77）は、第２の吸込口（15）を通過した被処理空気を濾過する。
【００２９】
上記第１０の発明において、ケーシング（10）では、吸込側側壁部（12）に隣接する側壁部のうち互いに対向する一対の側壁部のそれぞれにフィルタ点検用蓋（136,137）が設けられる。このフィルタ点検用蓋（136,137）を開くことで、エアフィルタ（76,77）がケーシング（10）から取り出される。
【００３０】
上記第１１の発明において、ケーシング（10）では、吸込側側壁部（12）に隣接する側壁部のうち互いに対向する一対の側壁部のそれぞれにフィルタ点検用蓋（136,137）が設けられる。この一対の側壁部は、そのうちの一方に第１のフィルタ点検用蓋（136）が設けられ、他方に第２のフィルタ点検用蓋（137）が設けられる。第１のフィルタ点検用蓋（136）を開けば、第１のエアフィルタ（76）がケーシング（10）から取り出される。第２のフィルタ点検用蓋（137）を開けば、第２のエアフィルタ（77）がケーシング（10）から取り出される。
【００３１】
上記第１２の発明では、第１のエアフィルタ（76）が第１のフィルタ点検用蓋（136）の内側面に、第２のエアフィルタ（77）が第２のフィルタ点検用蓋（137）の内側面にそれぞれ取り付けられる。第１のフィルタ点検用蓋（136）をケーシング（10）から取り外す場合には、その際の第１のフィルタ点検用蓋（136）の移動に伴って第１のエアフィルタ（76）も移動し、第１のエアフィルタ（76）が第１のフィルタ点検用蓋（136）と共にケーシング（10）から取り出される。同様に、第２のフィルタ点検用蓋（137）をケーシング（10）から取り外す場合には、その際の第２のフィルタ点検用蓋（137）の移動に伴って第２のエアフィルタ（77）も移動し、第２のエアフィルタ（77）が第２のフィルタ点検用蓋（137）と共にケーシング（10）から取り出される。
【００３２】
上記第１３の発明において、第１及び第２のエアフィルタ（76,77）は、吸込側側壁部（12）に沿ってスライドすることによって、ケーシング（10）に装着され、あるいはケーシング（10）から取り外される。
【発明の効果】
【００３３】
上記第１の発明の調湿装置では、ケーシング（10）の吸込側側壁部（12）に第１及び第２の吸込口（13,15）を並んで開口させ、第１及び第２の吸込口（13,15）に連通する１つのフィルタ用空間（44）にエアフィルタ（71,76,77）を配置している。また、上記第２の発明の調湿装置では、ケーシング（10）の吸込側側壁部（12）に第１及び第２の吸込口（13,15）を並んで開口させ、これら吸込口（13,15）が開口する吸込側側壁部（12）に沿ってエアフィルタ（71,76,77）を配置している。
【００３４】
このため、本発明によれば、第１及び第２の吸込口（13,15）から流入した被処理空気を濾過するためのエアフィルタ（71,76,77）をケーシング（10）内の１箇所に集約することができ、エアフィルタ（71,76,77）をケーシング（10）へ出し入れする際の作業工数を低減できる。そして、本発明によれば、吸込口（13,15）の直後に設けたエアフィルタ（71,76,77）で被処理空気を濾過してケーシング（10）内へのほこり等の流入量を低減した上で、エアフィルタ（71,76,77）をメンテナンスする際の作業性を向上させることができる。
【００３５】
上記第３及び第４の発明では、第１の吸込口（13）からケーシング（10）内へ流入した被処理空気と、第２の吸込口（15）からケーシング（10）内へ流入した被処理空気との両方を、１つのエアフィルタ（71）によって濾過している。このため、エアフィルタ（71）をメンテナンスする際には、この１つのエアフィルタをケーシング（10）に対して着脱すればよいこととなり、エアフィルタ（71）のメンテナンスの作業性を一層向上させることができる。また、これらの発明では、エアフィルタ（71）に仕切部材（72）を取り付けている。このため、第１及び第２の吸込口（13,15）からケーシング（10）内へ流入した被処理空気が互いに混じり合うのを防止しつつ、各被処理空気の濾過を１つのエアフィルタ（71）で行うことができる。
【００３６】
上記第５の発明では、ケーシング（10）の吸込側側壁部（12）に隣接する側壁部の少なくとも１つに、エアフィルタ（71）を取り出し可能とするためのフィルタ点検用蓋（131）を設けている。このため、フィルタ点検用蓋（131）を開くだけでエアフィルタ（71）を取り出すことができ、エアフィルタ（71）のメンテナンスの作業性を向上させることができる。また、ケーシング（10）の吸込側側壁部（12）に隣接する側壁部の両側にフィルタ点検用蓋（131）を設けた場合には、いずれの側壁部からでもエアフィルタ（71）を取り出すことができる。
【００３７】
上記第６及び第１２の発明では、エアフィルタ（71,76,77）をフィルタ点検用蓋（131,136,137）の内側面に取り付けている。このため、ケーシング（10）からフィルタ点検用蓋（131,136,137）を取り外す動作を行えば、その動作によってフィルタ点検用蓋（131,136,137）だけでなくエアフィルタ（71,76,77）をもケーシング（10）から取り外すことができ、エアフィルタ（71,76,77）のメンテナンスをする際の作業工数を一層削減することができる。
【００３８】
上記第７及び第１３の発明では、エアフィルタ（71,76,77）をスライドさせるという比較的単純な作業を行うことで、エアフィルタ（71,76,77）がケーシング（10）から取り外される。このため、エアフィルタ（71,76,77）のメンテナンス作業を一層簡素ができる。また、これらの発明では、エアフィルタ（71,76,77）を吸込側側壁部（12）と平行な方向へスライドさせるようにしている。このため、例えば吸込口（13,15）の開口する吸込側側壁部（12）をケーシング（10）から取り外すと行った比較的複雑な作業を行わなくても、エアフィルタ（71,76,77）をケーシング（10）から取り外すことが可能となり、この点でもエアフィルタ（71,76,77）のメンテナンス作業を簡素できる。
【００３９】
上記第８の発明では、エアフィルタ（76,77）を、フィルタ用空間（44）における第１の吸込口（13）に連通する第１部分（45）と第２の吸込口（15）に連通する第２部分（47）とに、それぞれ設けている。このため、各吸込口（13,15）から流入した被処理空気を互いに混じり合わせることなく、フィルタ用空間（44）の各部分（45,47）に設けたエアフィルタ（76,77）によって濾過することができる。また、第１部分（45）と第２部分（47）とで異なる種類のエアフィルタ（76,77）を配置することもできる。
【００４０】
上記第９の発明では、ケーシング（10）内に第１のエアフィルタ（76）と第２のエアフィルタ（77）とを設けている。このため、各吸込口（13,15）を通過した被処理空気を確実に浄化することができる。また、第１のエアフィルタ（76）と第２のエアフィルタ（77）とで捕集効率等の特性が異なるものを用いることもできる。
【００４１】
上記第１０の発明では、吸込側側壁部（12）に隣接して互いに対向するケーシング（10）の一対の側壁部のそれぞれに、エアフィルタ（76,77）を取り出し可能とするためのフィルタ点検用蓋（136,137）を１つずつ設けている。このため、各フィルタ点検用蓋（136,137）を開くことにより、そのフィルタ用空間（44）の第１部分（45）又は第２部分（47）に設けたエアフィルタ（76,77）を取り出すことができる。
【００４２】
上記第１１の発明では、ケーシング（10）の側壁部のうち互いに対向する一対のもののそれぞれにフィルタ点検用蓋（136,137）が設けられる。そして、第１のフィルタ点検用蓋（136）を開くことで第１のエアフィルタ（76）を、第２のフィルタ点検用蓋（137）を開くことで第２のエアフィルタ（77）をそれぞれケーシング（10）から取り出すことができ、エアフィルタ（71）のメンテナンスをする際の作業工数を削減できる。
【発明を実施するための最良の形態】
【００４３】
以下、本発明の実施形態を図面に基づいて詳細に説明する。なお、以下の実施形態は、本質的に好ましい例示に過ぎず、本発明、その適用物や用途の範囲を制限することを意図するものでは全くない。
【００４４】
《発明の実施形態１》
実施形態１に係る調湿装置は、減湿された空気を室内へ供給する除湿運転と、加湿された空気を室内へ供給する加湿運転とを切り換えて行うように構成されていて、例えば屋内の天井面に取り付けられる。また、この調湿装置は、冷媒回路と２つの吸着素子（81,82）とを備え、いわゆるバッチ式の動作を行うように構成されている。
【００４５】
ここでは、本実施形態に係る調湿装置の構成について、図１〜図９を参照しながら説明する。なお、本実施形態の説明において、「上」 「下」 「左」 「右」 「前」 「後」 「手前」 「奥」 は、特にことわらない限り、図１に示す調湿装置を正面側（同図で下側）から見た場合のものを意味している。
【００４６】
図１に示すように、上記調湿装置は、やや扁平な直方体状のケーシング（10）を備えている。このケーシング（10）には、２つの吸着素子（81,82）と、冷媒回路とが収納されている。
【００４７】
冷媒回路では、加熱器としての再生熱交換器（102）、第１熱交換器（103）、第２熱交換器（104）、圧縮機（101）、及び膨張弁が配管によって接続されている。なお、膨張弁及び配管の図示は省略する。この冷媒回路では、充填された冷媒を循環させることによって冷凍サイクルが行われる。また、冷媒回路は、第１熱交換器（103）が蒸発器となる運転と、第２熱交換器（104）が蒸発器となる運転とを切換可能に構成されている。
【００４８】
図６に示すように、上記吸着素子（81,82）は、平板状の平板部材（83）と波形状の波板部材（84）とを交互に積層して構成されている。波板部材（84）は、隣接する波板部材（84）の稜線方向が互いに９０°ずれる姿勢で積層されている。そして、吸着素子（81,82）は、全体として直方体状ないし四角柱状に形成されている。
【００４９】
上記吸着素子（81,82）には、平板部材（83）及び波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。
【００５０】
上記吸着素子（81,82）において、調湿側通路（85）に臨む平板部材（83）の表面や、調湿側通路（85）に設けられた波板部材（84）の表面には、水蒸気を吸着するための吸着材が塗布されている。この種の吸着材としては、例えばシリカゲル、ゼオライト、イオン交換樹脂等が挙げられる。
【００５１】
また、図１に示すように、第１，第２吸着素子（81,82）は、それぞれ長手方向中央部で２分割されていて、メンテナンス時にはその分割された部分の一方のみを取り外すことも可能となっている。なお、第１，第２吸着素子（81,82）は、分割されていなくてもよい。
【００５２】
上記ケーシング（10）において、最も手前側には第１パネル（11）が設けられ、該第１パネル（11）に対向する最も奥側の位置には第２パネル（12）が設けられている。また、上記ケーシング（10）において、第１パネル（11）に直交する右側の第３パネル（17）と、左側の第４パネル（18）が設けられている。第１パネル（11）には、その左端寄りの下部に第１吹出口（14）が、またその右端寄りの下部に第２吹出口（16）がそれぞれ形成されている。一方、第２パネル（12）には、その左端寄りに第２吸込口（15）が、またその右端寄りに第１吸込口（13）がそれぞれ第２パネル（12）の長手方向に並んで形成されている。この第２パネル（12）は吸込側側壁部を構成している。
【００５３】
図９に示すように、第４パネル（18）には、その一部がケーシング（10）から取り外し可能なフィルタ点検用蓋（131）と素子点検用蓋（132）とが設けられている。同様に上記第１パネル（11）には、ファン点検用蓋（121）が設けられている。なお、ファン点検用蓋（121）と素子点検用蓋（132）は、それぞれが２つ以上に分割されたものでもよい。
【００５４】
図７，図８に示すように、天井面（Ｒ）におけるケーシング（10）の第１パネル（11）近傍には、メンテナンス時に作業員により開閉される第１の点検用マンホール（H1）が設けられている。一方、天井面（Ｒ）におけるケーシング（10）の第４パネル（18）近傍には、メンテナンス時に作業員により開閉される第２の点検用マンホール（H2）が設けられている。
【００５５】
図１に示すように、ケーシング（10）の内部は、手前側の第１パネル（11）から奥側の第２パネル（12）へ向かう方向において３つの空間に仕切られている。
【００５６】
ケーシング（10）の第１パネル（11）寄りに形成された空間は、左右に３つの空間に仕切られている。この３つの空間のうち、右側の空間は第２吹出側流路（41）を構成し、左側の空間は第１吹出側流路（42）を構成している。また、第２吹出側流路（41）と第１吹出側流路（42）に挟まれた空間は、収容空間（90）を構成している。閉空間である収容空間（90）には、冷媒回路の圧縮機（101）が設置されている。
【００５７】
第２吹出側流路（41）は、第２吹出口（16）に連通している。この第２吹出側流路（41）には、第２のファンとしての第２吹出ファン（96）と第２熱交換器（104）とが設置されている。第２吹出ファン（96）は、その吹出側を第２吹出口（16）に接続させるように上記第１パネル（11）のファン点検用蓋（121）の内側面に取り付けられている。第２熱交換器（104）は、第２吹出ファン（96）へ向かって流れる空気を冷媒回路の冷媒と熱交換させる。
【００５８】
一方、第１吹出側流路（42）は、第１吹出口（14）に連通している。この第１吹出側流路（42）には、第１のファンとしての第１吹出ファン（95）と第１熱交換器（103）とが設置されている。第１吹出ファン（95）は、その吹出側を第１吹出口（14）に接続させるように上記第１パネル（11）のファン点検用蓋（121）の内側面に取り付けられている。第１熱交換器（103）は、第１吹出ファン（95）へ向かって流れる空気を冷媒回路の冷媒と熱交換させる。
【００５９】
ケーシング（10）内には、上記第１及び第２吸込口（13,15）に連通する１つのフィルタ用空間（44）が第２パネル（12）に沿って形成されている。このフィルタ用空間（44）には、第２パネル（12）に沿うようにエアフィルタ（71）が設けられている。このエアフィルタ（71）は、その左端部が上記フィルタ点検用蓋（131）の内側面に取り付けられる。エアフィルタ（71）は、第２パネル（12）と概ね同じ大きさに形成されており、例えば第２パネル（12）側から見たときに、フィルタ用空間（44）の領域全体を覆うように配置される。
【００６０】
上記エアフィルタ（71）では、その幅方向（図１における左右方向）の中央に仕切部材（72）が設けられている。この仕切部材（72）は、例えば発泡ポリエチレン、発泡ウレタン等から成る部材である。このエアフィルタ（71）では、仕切部材（72）よりも右側の部分が第１フィルタ部（73）を構成し、仕切部材（72）よりも左側の部分が第２フィルタ部（74）を構成している。また、エアフィルタ（71）は、第２パネル（12）に沿って左右にスライドすることで、ケーシング（10）に対して着脱自在となっている。
【００６１】
上記エアフィルタ（71）をフィルタ用空間（44）に設置した状態では、仕切部材（72）によってフィルタ用空間（44）が左右に仕切られる。フィルタ用空間（44）のうち、この仕切部材（72）の右側の空間は、第１部分としての吸込側右側流路（45）を構成している。吸込側右側流路（45）は、第１吸込口（13）に連通している。この吸込側右側流路（45）には、第１フィルタ部（73）が配置される。一方、仕切部材（72）の左側の空間は、第２部分としての吸込側左側流路（47）を構成している。吸込側左側流路（47）は、第２吸込口（15）に連通している。この吸込側左側流路（47）には、第２フィルタ部（74）が配置される。
【００６２】
ケーシング（10）の奥行き方向の中央に形成された空間は、右側仕切板（20）と左側仕切板（30）とによって左右に３つの空間に仕切られている。
【００６３】
右側仕切板（20）の右側の空間は、右側上下仕切板（28）によって上下に仕切られている。そして、この空間は、上側の空間が右上部流路（65）を構成し、下側の空間が右下部流路（66）を構成している。右上部流路（65）は、第２吹出側流路（41）と連通する一方、吸込側右側流路（45）から仕切られている。右下部流路（66）は、吸込側右側流路（45）と連通する一方、第２吹出側流路（41）から仕切られている。
【００６４】
左側仕切板（30）の左側の空間は、左側上下仕切板（38）によって上下に仕切られている。そして、この空間は、上側の空間が左上部流路（67）を構成し、下側の空間が左下部流路（68）を構成している。左上部流路（67）は、第１吹出側流路（42）と連通する一方、吸込側左側流路（47）から仕切られている。左下部流路（68）は、吸込側左側流路（47）と連通する一方、第１吹出側流路（42）から仕切られている。
【００６５】
図５にも示すように、右側仕切板（20）と左側仕切板（30）の間には、２つの吸着素子（81,82）が設置されている。これら吸着素子（81,82）は、所定の間隔をおいてそれぞれの長手方向が第１パネル（11）の長手方向に沿う姿勢で互いに平行に並んでケーシング（10）内に配置されている。具体的には、手前側の第１パネル（11）寄りに第１吸着素子（81）が設けられ、奥側の第２パネル（12）寄りに第２吸着素子（82）が設けられている。
【００６６】
第１，第２吸着素子（81,82）は、それぞれにおける平板部材（83）及び波板部材（84）の積層方向がケーシング（10）の左右方向と一致する姿勢で設置されている。この姿勢の各吸着素子（81,82）では、その上下の側面に調湿側通路（85）が開口し、その前後の側面に冷却側通路（86）が開口する一方、その左右の端面にはいずれの通路（85,86）も開口していない。
【００６７】
図５にも示すように、右側仕切板（20）と左側仕切板（30）の間の空間は、第１流路（51）、第２流路（52）、第１上部流路（53）、第１下部流路（54）、第２上部流路（55）、第２下部流路（56）、及び中央流路（57）に区画されている。
【００６８】
第１流路（51）は、第１吸着素子（81）の手前側に形成され、第１吸着素子（81）の冷却側通路（86）に連通している。第２流路（52）は、第２吸着素子（82）の奥側に形成され、第２吸着素子（82）の冷却側通路（86）に連通している。
【００６９】
第１上部流路（53）は、第１吸着素子（81）の上側に形成され、第１吸着素子（81）の調湿側通路（85）に連通している。第１下部流路（54）は、第１吸着素子（81）の下側に形成され、第１吸着素子（81）の調湿側通路（85）に連通している。第２上部流路（55）は、第２吸着素子（82）の上側に形成され、第２吸着素子（82）の調湿側通路（85）に連通している。第２下部流路（56）は、第２吸着素子（82）の下側に形成され、第２吸着素子（82）の調湿側通路（85）に連通している。
【００７０】
中央流路（57）は、第１吸着素子（81）と第２吸着素子（82）の間に形成され、両吸着素子（81,82）の冷却側通路（86）に連通している。この中央流路（57）には、再生熱交換器（102）がほぼ垂直に立った状態で設置されている。この再生熱交換器（102）は、中央流路（57）を流れる空気を冷媒回路の冷媒と熱交換させる。そして、再生熱交換器（102）は、凝縮器として機能し、空気を加熱するための加熱器を構成している。なお、再生熱交換器（102）は、ほぼ水平に寝かせた状態で設置してもよい。
【００７１】
中央流路（57）と第１下部流路（54）の間の仕切は、第１吸着素子（81）の長手方向中央部の分割面に合わせて左右方向に２分割されていて、分割された仕切に１つずつ第１シャッタ（61）が設けられている。一方、中央流路（57）と第２下部流路（56）の間の仕切も、第２吸着素子（82）の長手方向中央部の分割面に合わせて左右に分割されていて、分割された仕切に１つずつ第２シャッタ（62）が設けられている。第１シャッタ（61）と第２シャッタ（62）は、いずれもが開閉自在なダンパとして各吸着素子（81,82）と一体に設けられていて、メンテナンス時には、それぞれの吸着素子（81,82）と共に一体に取り出し可能となっている。なお、第１シャッタ（61）と第２シャッタ（62）は、各吸着素子（81,82）と別体に設けてもよい。
【００７２】
右側仕切板（20）は、手前側から奥側に向かって３分割されている。この３分割された右側仕切板（20）のうち、最も手前側の部分には第１右側開口（21）、第１右上開口（23）及び第１右下開口（24）が、最も奥側の部分には第２右側開口（22）、第２右上開口（25）及び第２右下開口（26）がそれぞれ形成されている。これらの開口（21,22,…）には、それぞれダンパとしての開閉シャッタが開閉自在に各吸着素子（81,82）と一体に設けられていて、メンテナンス時には、分割された右側仕切板（20）の一部及び吸着素子（81,82）と共に取り出し可能になっている。
【００７３】
第１右側開口（21）は、右側仕切板（20）における手前側の下部に設けられている。第１右側開口（21）の開閉シャッタが開いた状態では、第１流路（51）と右下部流路（66）が互いに連通する。第２右側開口（22）は、右側仕切板（20）における奥側の下部に設けられている。第２右側開口（22）の開閉シャッタが開いた状態では、第２流路（52）と右下部流路（66）が互いに連通する。
【００７４】
第１右上開口（23）は、右側仕切板（20）のうち第１吸着素子（81）に隣接する部分の上部に設けられている。第１右上開口（23）の開閉シャッタが開いた状態では、第１上部流路（53）と右上部流路（65）が互いに連通する。第１右下開口（24）は、右側仕切板（20）のうち第１吸着素子（81）に隣接する部分の下部に設けられている。第１右下開口（24）の開閉シャッタが開いた状態では、第１下部流路（54）と右下部流路（66）が互いに連通する。
【００７５】
第２右上開口（25）は、右側仕切板（20）のうち第２吸着素子（82）に隣接する部分の上部に設けられている。第２右上開口（25）の開閉シャッタが開いた状態では、第２上部流路（55）と右上部流路（65）が互いに連通する。第２右下開口（26）は、右側仕切板（20）のうち第２吸着素子（82）に隣接する部分の下部に設けられている。第２右下開口（26）の開閉シャッタが開いた状態では、第２下部流路（56）と右下部流路（66）が互いに連通する。
【００７６】
左側仕切板（30）も、手前側から奥側に向かって３分割されている。この３分割された左側仕切板（30）のうち、最も手前側の部分には第１左側開口（31）、第１左上開口（33）及び第１左下開口（34）が、最も奥側の部分には第２左側開口（32）、第２左上開口（35）及び第２左下開口（36）がそれぞれ形成されている。これらの開口（31,32,…）は、それぞれがダンパとしての開閉シャッタを備えて開閉自在に各吸着素子（81,82）と一体に設けられていて、メンテナンス時には、分割された左側仕切板（30）の一部及び吸着素子（81,82）と共に取り出し可能になっている。
【００７７】
第１左側開口（31）は、左側仕切板（30）における手前側の下部に設けられている。第１左側開口（31）の開閉シャッタが開いた状態では、第１流路（51）と左下部流路（68）が互いに連通する。第２左側開口（32）は、左側仕切板（30）における奥側の下部に設けられている。第２左側開口（32）の開閉シャッタが開いた状態では、第２流路（52）と左下部流路（68）が互いに連通する。
【００７８】
第１左上開口（33）は、左側仕切板（30）のうち第１吸着素子（81）に隣接する部分の上部に設けられている。第１左上開口（33）の開閉シャッタが開いた状態では、第１上部流路（53）と左上部流路（67）が互いに連通する。第１左下開口（34）は、左側仕切板（30）のうち第１吸着素子（81）に隣接する部分の下部に設けられている。第１左下開口（34）の開閉シャッタが開いた状態では、第１下部流路（54）と左下部流路（68）が互いに連通する。
【００７９】
第２左上開口（35）は、左側仕切板（30）のうち第２吸着素子（82）に隣接する部分の上部に設けられている。第２左上開口（35）の開閉シャッタが開いた状態では、第２上部流路（55）と左上部流路（67）が互いに連通する。第２左下開口（36）は、左側仕切板（30）のうち第２吸着素子（82）に隣接する部分の下部に設けられている。第２左下開口（36）の開閉シャッタが開いた状態では、第２下部流路（56）と左下部流路（68）が互いに連通する。
【００８０】
図７に示すように、上記調湿装置は、第１吸込口（13）及び第２吹出口（16）が室外に連通して第２吸込口（15）及び第１吹出口（14）が室内に連通する状態で設置されている。
【００８１】
具体的に、この調湿装置は、第１吸込口（13）及び第２吹出口（16）側の第３パネル（17）が室外側の壁（Ｗ）の近傍に位置すると共に、第２吸込口（15）及び第１吹出口（14）側の第４パネル（18）が室内側に位置する設置状態にある。このとき、第１パネル（11）において、第１吹出口（14）には室内側吹出用ダクト（114）が接続され、第２吹出口（16）には室外側吹出用ダクト（116）が接続されている。一方、第２パネル（12）の第１吸込口（13）には室外側吸込用ダクト（113）が接続され、第２吸込口（15）には室内側吸込用ダクト（115）が接続されている。なお、これらのダクト（113,114,…）は点検時に取り外しができるように板金製のものではなく、蛇腹状のフレキシブルなものにするのが望ましい。
【００８２】
−運転動作−
上記調湿装置では、除湿運転と加湿運転とが切り換えて行われる。また、除湿運転中や加湿運転中において、調湿装置では、第１動作と第２動作とが交互に繰り返される。
【００８３】
〈除湿動作〉
図１，図２に示すように、除湿運転時において、第１吹出ファン（95）を駆動すると、室外空気(OA)が第１吸込口（13）を通じてケーシング（10）内に取り込まれる。この室外空気は、第１被処理空気として吸込側右側流路（45）へ流入する。この第１被処理空気は、エアフィルタ（71）の第１フィルタ部（73）によって濾過される。一方、第２吹出ファン（96）を駆動すると、室内空気(RA)が第２吸込口（15）を通じてケーシング（10）内に取り込まれる。この室内空気は、第２空気として吸込側左側流路（47）へ流入する。この第２被処理空気は、エアフィルタ（71）の第２フィルタ部（74）によって濾過される。
【００８４】
このとき、フィルタ用空間（44）はエアフィルタ（71）の仕切部材（72）によって２つに区切られているので、第１吸込口（13）から取り入れられた室外空気と第２吸込口（15）から取り入れられた室内空気が混じり合うことはない。
【００８５】
また、除湿運転時において、冷媒回路では、再生熱交換器（102）が凝縮器となり、第１熱交換器（103）が蒸発器となる一方、第２熱交換器（104）が休止している。
【００８６】
除湿運転の第１動作について、図１，図５を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着材が再生される。
【００８７】
図１に示すように、右側仕切板（20）では、第１右下開口（24）と第２右上開口（25）とが連通状態となり、残りの開口（21,22,23,26）が遮断状態となる。左側仕切板（30）では、第１左側開口（31）と第１左上開口（33）とが連通状態となり、残りの開口（32,34,35,36）が遮断状態となる。また、第１シャッタ（61）は閉鎖状態となり、第２シャッタ（62）は開口状態となっている。
【００８８】
第１被処理空気は、吸込側右側流路（45）から右下部流路（66）へ流入し、その後に第１右下開口（24）を通って第１下部流路（54）へ流入する。一方、第２空気は、吸込側左側流路（47）から左下部流路（68）へ流入し、その後に第１左側開口（31）を通って第１流路（51）へ流入する。
【００８９】
図５(ａ)にも示すように、第１下部流路（54）の第１被処理空気は、第１吸着素子（81）の調湿側通路（85）へ流入する。この調湿側通路（85）を流れる間に、第１被処理空気に含まれる水蒸気が吸着材に吸着される。第１吸着素子（81）で減湿された第１被処理空気は、第１上部流路（53）へ流入する。
【００９０】
一方、第１流路（51）の第２被処理空気は、第１吸着素子（81）の冷却側通路（86）へ流入する。この冷却側通路（86）を流れる間に、第２被処理空気は、調湿側通路（85）で水蒸気が吸着材に吸着される際に生じた吸着熱を吸熱する。吸着熱を奪った第２被処理空気は、中央流路（57）へ流入して再生熱交換器（102）を通過する。その際、再生熱交換器（102）では、第２被処理空気が冷媒との熱交換によって加熱される。その後、第２被処理空気は、中央流路（57）から第２下部流路（56）へ流入する。
【００９１】
第１吸着素子（81）及び再生熱交換器（102）で加熱された第２被処理空気は、第２吸着素子（82）の調湿側通路（85）へ導入される。この調湿側通路（85）では、第２被処理空気によって吸着材が加熱され、吸着材から水蒸気が脱離する。つまり、第２吸着素子（82）の再生が行われる。吸着材から脱離した水蒸気は、第２被処理空気と共に第２上部流路（55）へ流入する。
【００９２】
図１に示すように、第１上部流路（53）へ流入した減湿後の第１被処理空気は、第１左上開口（33）を通って左上部流路（67）へ流入し、その後に第１吹出側流路（42）へ流入する。この第１被処理空気は、第１吹出側流路（42）を流れる間に第１熱交換器（103）を通過し、冷媒との熱交換によって冷却される。その後、減湿されて冷却された第１被処理空気は、第１吹出口（14）に接続された室内側吹出用ダクト（114）を通って室内へ供給される。
【００９３】
一方、第２上部流路（55）へ流入した第２被処理空気は、第２右上開口（25）を通って右上部流路（65）へ流入し、その後に第２吹出側流路（41）へ流入する。この第２被処理空気は、第２吹出側流路（41）を流れる間に第２熱交換器（104）を通過する。その際、第２熱交換器（104）は休止しており、第２被処理空気は加熱も冷却もされない。そして、第１吸着素子（81）の冷却と第２吸着素子（82）の再生に利用された第２被処理空気は、第２吹出口（16）に接続された室外側吹出用ダクト（116）を通って室外へ排出される。
【００９４】
除湿運転の第２動作について、図２，図５を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着材が再生される。
【００９５】
図２に示すように、右側仕切板（20）では、第１右上開口（23）と第２右下開口（26）とが連通状態となり、残りの開口（21,22,24,25）が遮断状態となる。左側仕切板（30）では、第２左側開口（32）と第２左上開口（35）とが連通状態となり、残りの開口（31,33,34,36）が遮断状態となる。また、第２シャッタ（62）は閉鎖状態となり、第１シャッタ（61）は開口状態となっている。
【００９６】
第１被処理空気は、吸込側右側流路（45）から右下部流路（66）へ流入し、その後に第２右下開口（26）を通って第２下部流路（56）へ流入する。一方、第２被処理空気は、吸込側左側流路（47）から左下部流路（68）へ流入し、その後に第２左側開口（32）を通って第２流路（52）へ流入する。
【００９７】
図５(ｂ)にも示すように、第２下部流路（56）の第１被処理空気は、第２吸着素子（82）の調湿側通路（85）へ流入する。この調湿側通路（85）を流れる間に、第１被処理空気に含まれる水蒸気が吸着材に吸着される。第２吸着素子（82）で減湿された第１被処理空気は、第２上部流路（55）へ流入する。
【００９８】
一方、第２流路（52）の第２被処理空気は、第２吸着素子（82）の冷却側通路（86）へ流入する。この冷却側通路（86）を流れる間に、第２被処理空気は、調湿側通路（85）で水蒸気が吸着材に吸着される際に生じた吸着熱を吸熱する。吸着熱を奪った第２被処理空気は、中央流路（57）へ流入して再生熱交換器（102）を通過する。その際、再生熱交換器（102）では、第２被処理空気が冷媒との熱交換によって加熱される。その後、第２被処理空気は、中央流路（57）から第１下部流路（54）へ流入する。
【００９９】
第２吸着素子（82）及び再生熱交換器（102）で加熱された第２被処理空気は、第１吸着素子（81）の調湿側通路（85）へ導入される。この調湿側通路（85）では、第２被処理空気によって吸着材が加熱され、吸着材から水蒸気が脱離する。つまり、第１吸着素子（81）の再生が行われる。吸着材から脱離した水蒸気は、第２被処理空気と共に第１上部流路（53）へ流入する。
【０１００】
図２に示すように、第２上部流路（55）へ流入した減湿後の第１被処理空気は、第２左上開口（35）を通って左上部流路（67）へ流入し、その後に第１吹出側流路（42）へ流入する。この第１被処理空気は、第１吹出側流路（42）を流れる間に第１熱交換器（103）を通過し、冷媒との熱交換によって冷却される。その後、減湿されて冷却された第１被処理空気は、第１吹出口（14）に接続された室内側吹出用ダクト（114）を通って室内へ供給される。
【０１０１】
一方、第１上部流路（53）へ流入した第２被処理空気は、第１右上開口（23）を通って右上部流路（65）へ流入し、その後に第２吹出側流路（41）へ流入する。この第２被処理空気は、第２吹出側流路（41）を流れる間に第２熱交換器（104）を通過する。その際、第２熱交換器（104）は休止しており、第２被処理空気は加熱も冷却もされない。そして、第１吸着素子（81）の冷却と第２吸着素子（82）の再生に利用された第２被処理空気は、第２吹出口（16）に接続された室外側吹出用ダクト（116）を通って室外へ排出される。
【０１０２】
〈加湿動作〉
図３，図４に示すように、加湿運転時において、第１吹出ファン（95）を駆動すると、室外空気(OA)が第１吸込口（13）を通じてケーシング（10）内に取り込まれる。この室外空気は、第２被処理空気として吸込側右側流路（45）へ流入する。この第２被処理空気は、エアフィルタ（71）の第１フィルタ部（73）によって濾過される。一方、第２吹出ファン（96）を駆動すると、室内空気(RA)が第２吸込口（15）を通じてケーシング（10）内に取り込まれる。この室内空気は、第１被処理空気として吸込側左側流路（47）へ流入する。この第１被処理空気は、エアフィルタ（71）の第２フィルタ部（74）によって濾過される。
【０１０３】
このとき、フィルタ用空間（44）はエアフィルタ（71）の仕切部材（72）によって２つに区切られているので、第１吸込口（13）から取り入れられた室外空気と第２吸込口（15）から取り入れられた室内空気が混じり合うことはない。
【０１０４】
また、加湿運転時において、冷媒回路では、再生熱交換器（102）が凝縮器となり、第２熱交換器（104）が蒸発器となる一方、第１熱交換器（103）が休止している。
【０１０５】
加湿運転の第１動作について、図３，図５を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着材が水蒸気を吸着する。
【０１０６】
図３に示すように、右側仕切板（20）では、第１右側開口（21）と第１右上開口（23）とが連通状態となり、残りの開口（22,24,25,26）が遮断状態となる。左側仕切板（30）では、第１左下開口（34）と第２左上開口（35）とが連通状態となり、残りの開口（31,32,33,36）が遮断状態となる。また、第１シャッタ（61）は閉鎖状態となり、第２シャッタ（62）は開口状態となっている。
【０１０７】
第１被処理空気は、吸込側左側流路（47）から左下部流路（68）へ流入し、その後に第１左下開口（34）を通って第１下部流路（54）へ流入する。一方、第２被処理空気は、吸込側右側流路（45）から右下部流路（66）へ流入し、その後に第１右側開口（21）を通って第１流路（51）へ流入する。
【０１０８】
図５(ａ)にも示すように、第１下部流路（54）の第１被処理空気は、第１吸着素子（81）の調湿側通路（85）へ流入する。この調湿側通路（85）を流れる間に、第１被処理空気に含まれる水蒸気が吸着材に吸着される。第１吸着素子（81）で水分を奪われた第１被処理空気は、第１上部流路（53）へ流入する。
【０１０９】
一方、第１流路（51）の第２被処理空気は、第１吸着素子（81）の冷却側通路（86）へ流入する。この冷却側通路（86）を流れる間に、第２被処理空気は、調湿側通路（85）で水蒸気が吸着材に吸着される際に生じた吸着熱を吸熱する。吸着熱を奪った第２被処理空気は、中央流路（57）へ流入して再生熱交換器（102）を通過する。その際、再生熱交換器（102）では、第２被処理空気が冷媒との熱交換によって加熱される。その後、第２被処理空気は、中央流路（57）から第２下部流路（56）へ流入する。
【０１１０】
第１吸着素子（81）及び再生熱交換器（102）で加熱された第２被処理空気は、第２吸着素子（82）の調湿側通路（85）へ導入される。この調湿側通路（85）では、第２被処理空気によって吸着材が加熱され、吸着材から水蒸気が脱離する。つまり、第２吸着素子（82）の再生が行われる。そして、吸着材から脱離した水蒸気が第２被処理空気に付与され、第２被処理空気が加湿される。第２吸着素子（82）で加湿された第２被処理空気は、その後に第２上部流路（55）へ流入する。
【０１１１】
図３に示すように、第２上部流路（55）へ流入した第２被処理空気は、第２左上開口（35）を通って左上部流路（67）へ流入し、その後に第１吹出側流路（42）へ流入する。この第２被処理空気は、第１吹出側流路（42）を流れる間に第１熱交換器（103）を通過する。その際、第１熱交換器（103）は休止しており、第２被処理空気は加熱も冷却もされない。そして、加湿された第２被処理空気は、第１吹出口（14）に接続された室内側吹出用ダクト（114）を通って室内へ供給される。
【０１１２】
一方、第１上部流路（53）へ流入した第１被処理空気は、第１右上開口（23）を通って右上部流路（65）へ流入し、その後に第２吹出側流路（41）へ流入する。この第１被処理空気は、第２吹出側流路（41）を流れる間に第２熱交換器（104）を通過し、冷媒との熱交換によって冷却される。その後、水分と熱を奪われた第１被処理空気は、第２吹出口（16）に接続された室外側吹出用ダクト（116）を通って室外へ排出される。
【０１１３】
加湿運転の第２動作について、図４，図５を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着材が水蒸気を吸着する。
【０１１４】
図４に示すように、右側仕切板（20）では、第２右側開口（22）と第２右上開口（25）とが連通状態となり、残りの開口（21,23,24,26）が遮断状態となる。左側仕切板（30）では、第１左上開口（33）と第２左下開口（36）とが連通状態となり、残りの開口（31,32,34,35）が遮断状態となる。また、第２シャッタ（62）は閉鎖状態となり、第１シャッタ（61）は開口状態となる。
【０１１５】
第１被処理空気は、吸込側左側流路（47）から左下部流路（68）へ流入し、その後に第２左下開口（36）を通って第２下部流路（56）へ流入する。一方、第２被処理空気は、吸込側右側流路（45）から右下部流路（66）へ流入し、その後に第２右側開口（22）を通って第２流路（52）へ流入する。
【０１１６】
図５(ｂ)にも示すように、第２下部流路（56）の第１被処理空気は、第２吸着素子（82）の調湿側通路（85）へ流入する。この調湿側通路（85）を流れる間に、第１被処理空気に含まれる水蒸気が吸着材に吸着される。第２吸着素子（82）で水分を奪われた第１被処理空気は、第２上部流路（55）へ流入する。
【０１１７】
一方、第２流路（52）の第２被処理空気は、第２吸着素子（82）の冷却側通路（86）へ流入する。この冷却側通路（86）を流れる間に、第２被処理空気は、調湿側通路（85）で水蒸気が吸着材に吸着される際に生じた吸着熱を吸熱する。吸着熱を奪った第２被処理空気は、中央流路（57）へ流入して再生熱交換器（102）を通過する。その際、再生熱交換器（102）では、第２被処理空気が冷媒との熱交換によって加熱される。その後、第２被処理空気は、中央流路（57）から第１下部流路（54）へ流入する。
【０１１８】
第２吸着素子（82）及び再生熱交換器（102）で加熱された第２被処理空気は、第１吸着素子（81）の調湿側通路（85）へ導入される。この調湿側通路（85）では、第２被処理空気によって吸着材が加熱され、吸着材から水蒸気が脱離する。つまり、第１吸着素子（81）の再生が行われる。そして、吸着材から脱離した水蒸気が第２被処理空気に付与され、第２被処理空気が加湿される。第１吸着素子（81）で加湿された第２被処理空気は、その後に第１上部流路（53）へ流入する。
【０１１９】
図４に示すように、第１上部流路（53）へ流入した第２被処理空気は、第１左上開口（33）を通って左上部流路（67）へ流入し、その後に第１吹出側流路（42）へ流入する。この第２被処理空気は、第１吹出側流路（42）を流れる間に第１熱交換器（103）を通過する。その際、第１熱交換器（103）は休止しており、第２被処理空気は加熱も冷却もされない。そして、加湿された第２被処理空気は、第１吹出口（14）に接続された室内側吹出用ダクト（114）を通って室内へ供給される。
【０１２０】
一方、第２上部流路（55）へ流入した第１被処理空気は、第２右上開口（25）を通って右上部流路（65）へ流入し、その後に第２吹出側流路（41）へ流入する。この第１被処理空気は、第２吹出側流路（41）を流れる間に第２熱交換器（104）を通過し、冷媒との熱交換によって冷却される。その後、水分と熱を奪われた第１被処理空気は、第２吹出口（16）に接続された室外側吹出用ダクト（116）を通って室外へ排出される。
【０１２１】
−メンテナンス−
次に、本実施形態の調湿装置のメンテナンス方法について説明する。図８，図９に示すように、エアフィルタ（71）を取り出すときには、作業員は第２点検用マンホール（H2）を開ける。このことにより調湿装置の第４パネル（18）側での作業が可能となる。そして、第４パネル（18）のフィルタ点検用蓋（131）をケーシング（10）から取り外すと、その内側面に固定されたエアフィルタ（71）もフィルタ点検用蓋（131）と共に左側にスライドし、エアフィルタ（71）がフィルタ点検用蓋（131）と共にケーシング（10）外に取り外される。
【０１２２】
なお、第１吸着素子（81）及び第２吸着素子（82）を取り出すには、第４パネル（18）の素子点検用蓋（132）を取り外して、第１吸着素子（81）及び第２吸着素子（82）をそれぞれケーシング（10）外に取り出せばよい。
【０１２３】
また、ファン（95,96）や圧縮機（101）を取り出すには、作業員は第１点検用マンホール（H1）を開ける。このことにより調湿装置の第１パネル（11）側での作業が可能となる。ケーシング（10）からファン点検用蓋（121）を取り外した状態で、第１吹出ファン（95）、第２吹出ファン（96）及び圧縮機（101）がケーシング（10）の開口から取り出される。
【０１２４】
−実施形態１の効果−
本実施形態に係る調湿装置では、ケーシング（10）の第２パネル（12）に第１及び第２の吸込口（13,15）を並んで開口させ、第１及び第２の吸込口（13,15）に連通する１つのフィルタ用空間（44）にエアフィルタ（71）を配置している。このため、第１及び第２の吸込口（13,15）から流入した被処理空気を濾過するためのエアフィルタ（71）をケーシング（10）内の１箇所に集約することができ、エアフィルタ（71）をケーシング（10）へ出し入れする際の作業工数を低減できる。したがって、本実施形態に係る調湿装置によれば、吸込口（13,15）の直後に設けたエアフィルタ（71）で被処理空気を濾過してケーシング（10）内へのほこり等の流入量を低減した上で、エアフィルタ（71）をメンテナンスする際の作業性を向上させることができる。
【０１２５】
本実施形態に係る調湿装置では、第１の吸込口（13）からケーシング（10）内へ流入した被処理空気と、第２の吸込口（15）からケーシング（10）内へ流入した被処理空気との両方を、１つのエアフィルタ（71）によって濾過している。このため、エアフィルタ（71）をメンテナンスする際には、この１つのエアフィルタをケーシング（10）に対して着脱すればよいこととなり、エアフィルタ（71）のメンテナンスの作業性を一層向上させることができる。また、本実施形態に係る調湿装置では、エアフィルタ（71）に仕切部材（72）を取り付けている。したがって、第１及び第２の吸込口（13,15）からケーシング（10）内へ流入した被処理空気が互いに混じり合うのを防止しつつ、各被処理空気の濾過を１つのエアフィルタ（71）で行うことができる。
【０１２６】
本実施形態に係る調湿装置では、ケーシング（10）の第２パネル（12）に隣接する第４パネル（18）にエアフィルタ（71）を取り出し可能とするためのフィルタ点検用蓋（131）を設けている。このため、１つのフィルタ点検用蓋（131）を開くだけでエアフィルタ（71）を取り出すことができ、エアフィルタ（71）のメンテナンスの作業性を向上させることができる。
【０１２７】
本実施形態に係る調湿装置では、エアフィルタ（71）をフィルタ点検用蓋（131）の内側面に取り付けている。このため、フィルタ点検用蓋（131）を開くと、このフィルタ点検用蓋（131）の移動に伴ってエアフィルタ（71）がケーシング（10）から取り出されるので、エアフィルタ（71）のメンテナンスをする際の作業工数を削減できる。
【０１２８】
−実施形態１の変形例−
なお、本実施形態では、第４パネル（18）にのみフィルタ点検用蓋（131）と素子点検用蓋（132）を設けているが、第３パネル（17）にのみフィルタ点検用蓋（131）と素子点検用蓋（132）を設けてもよい。そのときには、第２点検用マンホール（H2）を第３パネル（17）側に設ければよい。
【０１２９】
さらに、第４パネル（18）だけでなく、第３パネル（17）にもフィルタ点検用蓋（131）と素子点検用蓋（132）を設けてもよい。そうすることで、調湿装置の設置状態に合わせて第４パネル（18）側からでも第３パネル（17）側からでも、エアフィルタ（71）と吸着素子（81,82）をケーシング（10）から取り出すことができる。
【０１３０】
例えば、図７に示すように、第３パネル（17）側が壁面（Ｗ）際にあるときには、その反対側の第４パネル（18）におけるフィルタ点検用蓋（131）の内側面にエアフィルタ（71）の左端部が取り付けられる。逆に、第４パネル（18）側が壁面（Ｗ）際にあるときには、その反対側の第３パネル（17）におけるフィルタ点検用蓋（131）の内側面にエアフィルタ（71）の右端部が取り付けられる。つまり、壁面（Ｗ）と反対側にマンホールを設けて、そのマンホールからエアフィルタ（71）と吸着素子（81,82）のメンテナンス作業が行えるので、調湿装置を壁面（Ｗ）際に近付けて設けることができる。
【０１３１】
また、本実施形態の調湿装置では、エアフィルタ（71）の第１フィルタ部（73）と第２フィルタ部（74）とでフィルタ基材が相違していてもよい。吸込側左側流路（47）へは室内空気が流れ込むのに対し、吸込側右側流路（45）へは室外空気が流れ込む。つまり、吸込側右側流路（45）の第１フィルタ部（73）は、吸込側左側流路（47）の第２フィルタ部（74）に比べて汚れた空気を濾過することになる。そこで、第１フィルタ部（73）のフィルタ基材としては、第２フィルタ部（74）のフィルタ基材に比べて捕集効率の高いものを用いるのが望ましい。
【０１３２】
《発明の実施形態２》
本発明の実施形態２について説明する。
【０１３３】
図１０に示すように、本発明の実施形態２の調湿装置は、ケーシング（10）の第２パネル（12）寄りに形成されたフィルタ用空間（44）が、仕切板（48）によって左右に仕切られ、左右に仕切られたフィルタ用空間（44）の各部分にエアフィルタ（76,77）が１つずつ設けられる点で上記実施形態１と異なる。なお、本実施形態では、図１〜図９と同じ部分については同じ符号を付してその詳細な説明は省略する。
【０１３４】
仕切板（48）は、ケーシング（10）に取り付けられている。フィルタ用空間（44）のうち、右側の部分は、第１部分としての吸込側右側流路（45）を構成している。吸込側右側流路（45）は、第１吸込口（13）に連通している。一方、仕切板（48）の左側の部分は、第２部分としての吸込側左側流路（47）を構成している。吸込側左側流路（47）は、第２吸込口（15）に連通している。
【０１３５】
仕切板（48）によって仕切られた吸込側右側流路（45）と吸込側左側流路（47）には、エアフィルタ（76,77）が１つずつ設けられている。具体的に、吸込側右側流路（45）には第１エアフィルタ（76）が設置され、吸込側左側流路（47）には第２エアフィルタ（77）が設置される。
【０１３６】
図１２に示すように、第３パネル（17）には、共にケーシング（10）から取り外し可能な第１フィルタ点検用蓋（136）及び素子点検用蓋（132）が設けられている。第４パネル（18）には、共にケーシング（10）から取り外し可能な第２フィルタ点検用蓋（137）及び素子点検用蓋（132）が設けられている。なお、素子点検用蓋（132）については、第３パネル（17）と第４パネル（18）のいずれか一方にのみ設けてもよい。
【０１３７】
上記各フィルタ点検用蓋（136,137）の内側面には、上記エアフィルタ（76,77）が取り付けられている。具体的に、第１フィルタ点検用蓋（136）の内側面には、第１エアフィルタ（76）の端部が固定されている。また、第２フィルタ点検用蓋（137）の内側面には、第２エアフィルタ（77）の端部が固定されている。
【０１３８】
なお、図１０に除湿運転の第１動作を例示するように、本実施形態の調湿装置の各運転動作は上記実施形態１の調湿装置のものと全く同じであるので、その説明を省略する。
【０１３９】
−メンテナンス−
次に、本実施形態の調湿装置のメンテナンス方法について説明する。図１１に示すように、第４パネル（18）側に位置する第２エアフィルタ（77）を取り出す場合は、作業員が第２点検用マンホール（H2）を開けることになる。このことにより、調湿装置の第４パネル（18）側での作業が可能となる。そして、第４パネル（18）の第２フィルタ点検用蓋（137）をケーシング（10）から取り外すと、第２エアフィルタ（77）も第２フィルタ点検用蓋（137）と共に左側にスライドしてケーシング（10）外へ引き出される。
【０１４０】
同様に、第３パネル（17）側に位置する第１エアフィルタ（76）を取り出す場合は、作業員が第３点検用マンホール（H3）を開けることになる。このことにより、調湿装置の第３パネル（17）側での作業が可能となる。第３パネル（17）の第１フィルタ点検用蓋（136）をケーシング（10）から取り外すと、第１エアフィルタ（76）も第１フィルタ点検用蓋（136）と共に右側にスライドしてケーシング（10）外に取り出される。
【０１４１】
なお、第１吸着素子（81）及び第２吸着素子（82）を取り出すには、第４パネル（18）又は第３パネル（17）のいずれか一方の素子点検用蓋（132）を取り外して、第１吸着素子（81）及び第２吸着素子（82）をそれぞれケーシング（10）外に取り出せばよい。
【０１４２】
−実施形態２の変形例−
本実施形態の調湿装置では、第１エアフィルタ（76）と第２エアフィルタ（77）とでフィルタ基材が相違していてもよい。吸込側左側流路（47）へは室内空気が流れ込むのに対し、吸込側右側流路（45）へは室外空気が流れ込む。つまり、吸込側右側流路（45）の第１エアフィルタ（76）は、吸込側左側流路（47）の第２エアフィルタ（77）に比べて汚れた空気を濾過することになる。そこで、第１エアフィルタ（76）のフィルタ基材としては、第２エアフィルタ（77）のフィルタ基材に比べて捕集効率の高いものを用いるのが望ましい。また、汚れやすい第１エアフィルタ（76）としては、フィルタ基材を２枚重ねにしたものを用いてもよい。
【０１４３】
《その他の実施形態》
上記実施形態１及び２に係る調湿装置では、エアフィルタ（71）を第２パネル（12）に沿うように設けているが、例えば図１３に示すように、平面視で円弧状としてもよい。このようにすることで、エアフィルタ（71）の空気抵抗を削減することができる。
【０１４４】
また、図示しないが、例えばエアフィルタ（71）の下端が第２パネル（12）に接すると共に上端が吸着素子（81,82）側に近付くように傾きを持たせてもよい。このようにしても、エアフィルタ（71）の空気抵抗を削減することができる。
【産業上の利用可能性】
【０１４５】
以上説明したように、本発明は、空気の湿度調節を行う調湿装置について有用である。
【図面の簡単な説明】
【０１４６】
【図１】実施形態１に係る調湿装置の構成及び除湿運転時の第１動作における空気の流れを示す概略構成図である。
【図２】実施形態１に係る調湿装置の構成及び除湿運転時の第２動作における空気の流れを示す概略構成図である。
【図３】実施形態１に係る調湿装置の構成及び加湿運転時の第１動作における空気の流れを示す概略構成図である。
【図４】実施形態１に係る調湿装置の構成及び加湿運転時の第２動作における空気の流れを示す概略構成図である。
【図５】実施形態１に係る調湿装置の要部拡大図である。
【図６】実施形態１に係る調湿装置の吸着素子の構成を示す概略斜視図である。
【図７】実施形態１に係る調湿装置の設置状態を示す概略平面図である。
【図８】実施形態１に係る調湿装置におけるメンテナンス時の機器の取り出し方向を矢印で示す概略平面図である。
【図９】実施形態１に係る調湿装置の点検用蓋の位置を示す概略斜視図である。
【図１０】実施形態２に係る調湿装置の構成及び除湿運転時の第１動作における空気の流れを示す概略構成図である。
【図１１】実施形態２に係る調湿装置におけるメンテナンス時の機器の取り出し方向を矢印で示す概略平面図である。
【図１２】実施形態２に係る調湿装置の点検用蓋の位置を示す概略斜視図である。
【図１３】その他の実施形態に係る調湿装置の構成及び除湿運転時の第１動作における空気の流れを示す概略構成図である。
【符号の説明】
【０１４７】
（10）  ケーシング
（12）  第２パネル（吸込側側壁部）
（13）  第１吸込口
（14）  第１吹出口
（15）  第２吸込口
（16）  第２吹出口
（44）  フィルタ用空間
（45）  吸込側右側流路（第１部分）
（47）  吸込側左側流路（第２部分）
（48）  仕切板
（71）  エアフィルタ
（72）  仕切部材
（73）  第１フィルタ部
（74）  第２フィルタ部
（76）  第１エアフィルタ
（77）  第２エアフィルタ
（81）  第１吸着素子
（82）  第２吸着素子
（95）  第１吹出ファン（第１のファン）
（96）  第２吹出ファン（第２のファン）
（131） フィルタ点検用蓋
（136） 第１フィルタ点検用蓋
（137） 第２フィルタ点検用蓋
【図１】
0003624912.tif 000002
【図２】
0003624912.tif 000003
【図３】
0003624912.tif 000004
【図４】
0003624912.tif 000005
【図５】
0003624912.tif 000006
【図６】
0003624912.tif 000007
【図７】
0003624912.tif 000008
【図８】
0003624912.tif 000009
【図９】
0003624912.tif 000010
【図１０】
0003624912.tif 000011
【図１１】
0003624912.tif 000012
【図１２】
0003624912.tif 000013
【図１３】
0003624912.tif 000014